(57)【要約】【課題】呼吸が楽に行え、かつ容易に低コストで製造できるマスク及びその製造方法を提供することにある。【解決手段】布地で構成され、少なくとも口と鼻を覆うマスク本体１と、一対の耳掛け部２、２とを備える。マスク本体１は、その中央部分でかつ上下方向、左右方向及び斜め方向のうちの少なくともいずれか１つの方向に、布地を補強し、着用した状態で内側に呼吸用空間を形成可能に布地を前方へ湾曲させ保持する剛性部を備える。【選択図】      図１
2004351190.tif 000002
【特許請求の範囲】
【請求項１】
布地で構成され、少なくとも口と鼻を覆うマスク本体と、一対の耳掛け部とを備え、マスク本体は、その中央部分でかつ上下方向、左右方向及び斜め方向のうちの少なくともいずれか１つの方向に、布地を補強し、着用した状態で内側に呼吸用空間を形成可能に布地を前方へ湾曲させ保持する剛性部を備えたことを特徴とするマスク。
【請求項２】
布地は、外面布地部と内面布地部とからなる二重構造に形成されている請求項１に記載のマスク。
【請求項３】
剛性部は、その頂部が上下方向の中間位置よりも上位に形成されている請求項１又は２に記載のマスク。
【請求項４】
マスク本体の内側に、フィルタ挟持部が設けられている請求項１〜３の何れか１つに記載のマスク。
【請求項５】
フィルタ挟持部は、少なくともその唇に接する部分が水分をマスクの内側から外側へ移動させる材質にて構成されてなる請求項４に記載のマスク。
【請求項６】
フィルタ挟持部は、少なくともその唇に接する部分に抗菌性が付与されている請求項４又は５に記載のマスク。
【請求項７】
剛性部が、布地の縫い合わせ部又は接着部にて構成されている請求項１〜６の何れか１つに記載のマスク。
【請求項８】
剛性部が、マスク本体内に保持されたワイヤ、ゴム、軟質合成樹脂、形状記憶樹脂又はこれらのうちの少なくとも２つを選択してなる複合材料で構成された芯材である請求項１〜６の何れか１つに記載のマスク。
【請求項９】
上下方向の剛性部を有するマスク本体は、その左右両端部にギャザがさらに設けられてなる請求項１〜８の何れか１つに記載のマスク。
【請求項１０】
マスク本体が、左半面を構成する左布地部と右半面を構成する右布地部とからなり、剛性部が、前記左布地部と右布地部とを相互に縫い合わせ又は接着し、その上下方向の縫い合わせライン又は接着ラインを、左布地部と右布地部を開いて着用した状態で内側に呼吸用空間を形成可能に前方へ湾曲させた縫い合わせ部又は接着部からなる請求項７又は９に記載のマスク。
【請求項１１】
左布地部及び右布地部のそれぞれが、２又はそれ以上の分割布地部分からなり、それらが縫い合わされ又は接着されて分割布地部分毎に湾曲度が異なるように構成されてなる請求項１０に記載のマスク。
【請求項１２】
マスク本体が、上下複数枚に分割された分割布地部からなり、剛性部が、上側の前記分割布地部と下側の前記分割布地部とを相互に縫い合わせ又は接着し、その左右方向の縫い合わせライン又は接着ラインを、上下の分割布地部を開いて着用した状態で内側に呼吸用空間を形成可能に前方へ湾曲させた縫い合わせ部又は接着部からなる請求項７に記載のマスク。
【請求項１３】
上下複数枚の分割布地部は、それらが縫い合わされ又は接着されて分割布地部毎に湾曲度が異なるように構成されてなる請求項１２に記載のマスク。
【請求項１４】
マスク本体の裏面側の上縁近傍でかつ左右１対で設けられ、装着時に両頬から鼻梁へ立ち上がる部分とマスク本体の少なくとも上縁部との間に形成され得る隙間を閉塞する上部閉塞部材をさらに備えてなる請求項１〜１３の何れか１つに記載のマスク。
【請求項１５】
上部閉塞部材が、マスク本体の裏面側の上縁近傍に、内側に折り曲げ可能に取り付けられる弾性フラップである請求項１４に記載のマスク。
【請求項１６】
弾性フラップは、その左右中央寄りの内端側が、該フラップを内側に折り曲げたときに鼻梁又はその近傍に沿うように形成されてなる請求項１５に記載のマスク。
【請求項１７】
弾性フラップは、該フラップを内側に折り曲げた状態で少なくともその外端部がマスク本体に固定されてなる請求項１５又は１６に記載のマスク。
【請求項１８】
上部閉塞部材が、マスク本体の裏面側の上縁近傍で、かつ左右中央寄りに付設されるパッド材である請求項１４に記載のマスク。
【請求項１９】
パッド材が、マスク本体に着脱可能に取り付けられている請求項１８に記載のマスク。
【請求項２０】
パッド材が、マスク本体の裏面側の上縁近傍に、内側に折り返し可能に取り付けられている請求項１８に記載のマスク。
【請求項２１】
パッド材が、弾性パッドである請求項１８〜２０の何れか１つに記載のマスク。
【請求項２２】
パッド材が、外力に応じて変形可能な可塑性パッドである請求項１８〜２０の何れか１つに記載のマスク。
【請求項２３】
可塑性パッドが、流動性を維持する粉体、ゲル状物又は液体を充填封入した袋体からなる請求項２２に記載のマスク。
【請求項２４】
マスク本体の裏面側の下縁近傍に設けられ、装着時に少なくとも下唇の下部とマスク本体下縁部との間に形成され得る隙間を閉塞する下部閉塞部材をさらに備えてなる請求項１〜２３の何れか１つに記載のマスク。
【請求項２５】
下部閉塞部材が、マスク本体の裏面側の下縁近傍に付設される下パッド材である請求項２４に記載のマスク。
【請求項２６】
下パッド材が、マスク本体に着脱可能に取り付けられている請求項２５に記載のマスク。
【請求項２７】
下パッド材が、マスク本体の裏面側の下縁近傍に、内側に折り返し可能に取り付けられている請求項２５に記載のマスク。
【請求項２８】
下パッド材が、下弾性パッドである請求項２５〜２７の何れか１つに記載のマスク。
【請求項２９】
下パッド材が、外力に応じて変形可能な下可塑性パッドである請求項２５〜２７の何れか１つに記載のマスク。
【請求項３０】
下可塑性パッドが、流動性を維持する粉体、ゲル状物又は液体を充填封入した袋体からなる請求項２９に記載のマスク。
【請求項３１】
耳掛け部が耳掛け紐からなり、この耳掛け紐は、その幅の略中央部で折曲げられてマスク本体の上縁部及び下縁部を挟み込んだ状態で取り付けられている請求項１〜３０の何れか１つに記載のマスク。
【請求項３２】
耳掛け部が、耳掛け紐の長さを調節する紐長さ調節部材をさらに備えてなる請求項３１に記載のマスク。
【請求項３３】
マスク本体又は耳掛け部の少なくともいずれかにアクセサリが設けられている請求項１〜３２の何れか１つに記載のマスク。
【請求項３４】
マスク本体、耳掛け紐又は紐長さ調節部材の少なくともいずれかにアクセサリが設けられている請求項３１に記載のマスク。
【請求項３５】
紐長さ調節部材が、耳掛け紐部分又は耳掛け紐部分とマスク本体の耳掛け紐接続部に設けられている請求項３２〜３４の何れか１つに記載のマスク。
【請求項３６】
マスク本体の外側又は内側の何れかに、マスク本体の外面又は内面を実質的に覆う大きさで、かつ直径が０．３μｍ以上の大きさの空気中の微粒子を９５％以上カットできるろ過能力を有するフィルタ部材がさらに設けられてなる請求項１〜３５の何れか１つに記載のマスク。
【請求項３７】
フィルタ部材が、マスク本体に着脱可能に取り付けられている請求項３６に記載のマスク。
【請求項３８】
マスク本体の外側に着脱可能に取り付けられる通気性のマスクカバーをさらに備えてなる請求項１〜３７の何れか１つに記載のマスク。
【請求項３９】
左半面を構成する左布地部と右半面を構成する右布地部とを有するマスク本体と、一対の耳掛け紐とを備えたマスクを製造するマスクの製造方法であって、
マスク本体を、左布地片と右布地片とを重ね合せ、左布地片と右布地片とを相互に縫い合わせて又は接着して形成し、かつこの縫い合わせ又は接着に際して、縫い合わせるライン又は接着するラインを、左布地部と右布地部を開いて着用した状態で内側に呼吸用空間を形成可能に湾曲させることを特徴とするマスクの製造方法。
【請求項４０】
左布地片及び右布地片を、左右対称で、かつ隣接するそれぞれの辺縁が面外方へ凸形に湾曲した形状に予め形成し、左布地片と右布地片とを相互に縫い合わせ又は接着するに際して、重ね合わせた左布地片と右布地片の前記辺縁に沿って縫い合わせる請求項３９に記載のマスクの製造方法。
【請求項４１】
左布地片と右布地片とを相互に縫い合わせ又は接着するに際して、重ね合わた左布地片と右布地片の辺縁を面外方へ凸形に湾曲して縫い合わせ又は接着し、その後、その縫い合わせ又は接着した辺縁の余剰部分を縫い合わせライン又は接着ラインに沿ってカットする請求項３９に記載のマスクの製造方法。
【請求項４２】
左布地部及び右布地部のそれぞれが、２又はそれ以上の分割布地部分からなり、それらが縫い合わされ又は接着されて分割布地部分毎に湾曲度が異なるように構成されてなる請求項３９〜４１の何れか１つに記載のマスクの製造方法。
【請求項４３】
上下複数枚に分割された分割布地部を有するマスク本体と、一対の耳掛け紐とを備えたマスクを製造するマスクの製造方法であって、
マスク本体を、上側の分割布地片と下側の分割布地片とを重ね合せ、上下の分割布地片を相互に縫い合わせて又は接着して形成し、かつこの縫い合わせ又は接着に際して、縫い合わせるライン又は接着するラインを、上下の分割布地部を開いて着用した状態で内側に呼吸用空間を形成可能に湾曲させることを特徴とするマスクの製造方法。
【請求項４４】
上下複数枚の分割布地片を、隣接するそれぞれの辺縁が面外方へ凸形に湾曲した形状に予め形成し、上下の分割布地片を相互に縫い合わせ又は接着するに際して、重ね合わせた上下の分割布地片の前記辺縁に沿って縫い合わせ又は接着する請求項４３に記載のマスクの製造方法。
【請求項４５】
上下複数枚の分割布地片を相互に縫い合わせ又は接着するに際して、重ね合わた上下の分割左布地片の辺縁を面外方へ凸形に湾曲して縫い合わせ又は接着し、その後、その縫い合わせ又は接着した辺縁の余剰部分を縫い合わせライン又は接着ラインに沿ってカットする請求項４３に記載のマスクの製造方法。
【請求項４６】
上下複数枚の分割布地部は、それらが縫い合わされ又は接着されて上下の分割布地部毎に湾曲度が異なるように構成されてなる請求項４３〜４５の何れか１つに記載のマスクの製造方法。
【発明の詳細な説明】
【０００１】
【発明の属する技術分野】
本発明は、鼻と口を覆うマスクに関する。
【０００２】
【従来の技術及び発明が解決しようとする課題】
この種のマスクとしては、例えば衛生マスク、防塵マスク、手術用マスクなどが知られているが、具体的には、花粉の吸引や、病原菌などの吸引又は放出を防止する目的で装着する従来の衛生マスクとしては、平面状のガーゼからなるマスク本体に耳掛け紐が付いたものが一般的である。しかし、このマスクでは、着用すると呼吸しずらいという問題があった。
【０００３】
そのため、最近では、マスク本体の内部にカップを入れたマスク（例えば、特許文献１参照）や、布地をひだ状に折って縫製した蛇腹状のマスク本体を使用時に外側へ膨らませるマスク（例えば、特許文献２参照）等、装着状態において鼻の下に空間を形成して呼吸が楽にできるマスクが使用されるようになってきている。しかしながら、前者では、部材点数及び製造工程数が増加してコストアップとなり、また、装着した状態で話をしたりガムや食べ物を噛んだりして顎を上下に動かすと、マスクが目の方へずれ上がり易く、ずれ上がったマスクをその都度手で下へ引っ張って元の位置に戻さなければならず面倒であるという不具合もあった。後者では、製造に手間を要しかつデザインもよくなかった。また、これら従来のマスクでは、装着した際に両頬から鼻梁へ立ち上がる部分とマスクとの間に隙間が形成され、この隙間からマスク内側に花粉や微粒子や病原菌等が侵入し易く、特に俯いたときに隙間が大きくなるので、花粉などの鼻や口への浸入をマスクによって十分に遮断しているとは言えなかった。
【０００４】
【特許文献１】
特開平９−２７６４２４号公報
【特許文献２】
特開２００１−３１４５２０号公報
【０００５】
そこで、本発明の主要な目的の一つは、呼吸が楽に行え、かつ容易に低コストで製造できるマスク及びその製造方法を提供することにある。
また、本発明のもう一つの主要な目的の一つは、装着時に両頬から鼻梁へ立ち上がる部分とマスクとの間に隙間が形成されないマスクを提供することにある。
また、本発明のもう一つの主要な目的の一つは、装着時に顎を上下に動かしてもずれ上がり難いマスクを提供することにある。
【０００６】
【課題を解決するための手段】
上記のような目的を達成するために、本発明に係るマスクは、布地で構成され、少なくとも口と鼻を覆うマスク本体と、一対の耳掛け部とを備え、マスク本体は、その中央部分でかつ上下方向、左右方向及び斜め方向のうちの少なくともいずれか１つの方向に、布地を補強し、着用した状態で内側に呼吸用空間を形成可能に布地を前方へ湾曲させ保持する剛性部を備えたものである。
【０００７】
つまり、本発明のマスクは、剛性部がマスク本体の中央部分で前方に突出し、それによって剛性部の内側に凹みを形成するので、その凹みに使用者の鼻が収まってマスク本体によって鼻が押さえ付けられず、かつ鼻の下に呼吸用空間が形成されて呼吸を楽に行うことができる。
【０００８】
本発明において、マスク本体の布地は、外面布地部と内面部布地部とからなる二重構造に形成されてなるものであれば、剛性部の膨らみ形状がより一層補強されると共に、外部からの花粉や病原菌の侵入及び外部への病原菌の放出をより一層防止することができる。
【０００９】
本発明において、剛性部は、その頂部が上下方向の中間位置よりも上位に形成されていれば、マスク着用状態を横から見て、縫い合わせ部の上部は鼻筋に沿って傾斜し、頂部が鼻頭の位置に一致し、頂部から下方にかけてはあごの方へ傾斜したマスク形状となるため、横顔のラインにマッチするデザイン性に優れたマスクとなって好ましい。なお、後述するが、剛性部は、布地の縫い合わせ部又は接着部にて構成されていてもよく、あるいはマスク本体内に保持されたワイヤ、ゴム、軟質合成樹脂、形状記憶樹脂又はこれらのうちの少なくとも２つを選択してなる複合材料で構成された芯材であってもよい。
【００１０】
本発明において、マスク本体の内側にフィルタ挟持部が設けられれば、例えば微小な花粉や病原菌あるいは微粒子（例えばタバコの煙の微粒子、排気ガスの微粒子など）等を吸着除去し得るフィルタをフィルタ挟持部に収納、交換することができて好ましい。
また、フィルタ挟持部は、少なくともその唇に接する部分が水分をマスクの内側から外側へ移動させる材質にて構成されてなることが、マスク内側の蒸れを軽減できる上で好ましく、さらに、少なくともその唇に接する部分に抗菌性が付与されていることが、衛生上好ましい。
【００１１】
本発明において、剛性部は、布地の縫い合わせ部又は接着部にて構成されていてもよい。この場合、マスク本体を以下の（１）（２）のような具体的構成にしてもよい。
【００１２】
（１）マスク本体が、左半面を構成する左布地部と右半面を構成する右布地部とからなり、剛性部が、前記左布地部と右布地部とを相互に縫い合わせ又は接着し、その上下方向の縫い合わせライン又は接着ラインを、左布地部と右布地部を開いて着用した状態で内側に呼吸用空間を形成可能に前方へ湾曲させた縫い合わせ部又は接着部からなるものとしてもよい。
このマスクの場合、左布地部と右布地部を開くと、マスク本体の左右中心位置に形成された上下方向の縫い合わせ部又は接着部が前方に膨らみ、かつ内側に上下方向の凹みを形成するので、その凹みに使用者の鼻が収まってマスク本体によって鼻が押さえ付けられず、かつ鼻の下に呼吸用空間が形成されて呼吸を楽に行うことができる。また、左布地部と右布地部とを単に縫い合わせただけ又は接着しただけで立体的に外側へ膨らむマスク本体が形成されるため、部材点数が増加することがなく、かつ縫製又は接着にもそれほど手間がかからず、低コストにて容易にマスクを製造することができる。また、左布地部と右布地部の隣接する辺縁を重ね合わせて縫い合わされた縫い合わせ部又は接着した接着部が、縫い合わせ部又は接着部の膨らみ形状の骨となってその形状を補強し、それによって左布地部及び右布地部が薄い布地であっても上記膨らみ形状が形状保持される。さらに、縫い合わせ部又は接着部の膨らみ形状の形成にはカップ材のようなものが使用されず、全体が布地から構成されるので、そのまま手軽に丸洗いすることができると共に、収納時は縫い合わせ部又は接着部で半分の大きさにきれいに折り畳むことができる。
【００１３】
また、上記構成（１）の場合、左布地部及び右布地部のそれぞれが、２又はそれ以上の分割布地部分からなり、それらが縫い合わされ又は接着されて分割布地部分毎に湾曲度が異なるように構成されてなるようにしてもよい。このようにすれば、マスク本体を立体的に外側へ膨らむ形状に形成することが容易であり、かつ鼻及び口の周囲により広い呼吸用空間を形成することができる。
【００１４】
（２）マスク本体が、上下複数枚に分割された分割布地部からなり、剛性部が、上側の前記分割布地部と下側の前記分割布地部とを相互に縫い合わせ又は接着し、その左右方向の縫い合わせライン又は接着ラインを、上下の分割布地部を開いて着用した状態で内側に呼吸用空間を形成可能に前方へ湾曲させた縫い合わせ部又は接着部からなる構成であってもよい。
このマスクの場合、上下の分割布地部を開くと、マスク本体に形成された左右方向の縫い合わせ部又は接着部が前方に膨らみ、かつ内側に凹みを形成するので、その凹みに使用者の鼻が収まってマスク本体によって鼻が押さえ付けられず、かつ鼻の下に呼吸用空間が形成されて呼吸を楽に行うことができる。また、上下の分割布地部を単に縫い合わせただけ又は接着しただけで立体的に外側へ膨らむマスク本体が形成されるため、部材点数が増加することがなく、かつ縫製又は接着にもそれほど手間がかからず、低コストにて容易にマスクを製造することができる。また、上下の分割布地部の隣接する辺縁を重ね合わせて縫い合わされた縫い合わせ部又は接着した接着部が、縫い合わせ部又は接着部の膨らみ形状の骨となってその形状を補強し、それによって上下の分割布地部が薄い布地であっても上記膨らみ形状が形状保持される。さらに、縫い合わせ部又は接着部の膨らみ形状の形成にはカップ材のようなものが使用されず、全体が布地から構成されるので、そのまま手軽に丸洗いすることができると共に、収納時は縫い合わせ部又は接着部できれいに折り畳むことができる。
なお、この構成（２）の場合、上下の分割布地部の間に中間の分割布地部を設けた構成でもよい。
【００１５】
また、本発明のマスクは、剛性部が、マスク本体内に保持されたワイヤ、ゴム、軟質合成樹脂、形状記憶樹脂又はこれらのうちの少なくとも２つを選択してなる複合材料で構成された芯材であってもよい。複合材料からなる芯材としては、例えばワイヤ線をゴム又は軟質合成樹脂にて被覆したものが挙げられる。この芯材は、マスク本体の左右方向の中央位置に、かつ上下方向の中間位置よりも上位に頂部が配置されるように略への字形に折り曲がった形状に形成され、マスク本体内に挿入される。この場合、マスク本体には、その左右方向の中央位置に、例えば上端に開口部を有する上下方向の芯材挿入用筒袋部を予め形成するか、あるいは左右端の一方に開口部を有し、鼻頭がくる位置を通る左右方向の芯材挿入用筒袋部を予め形成する。
このように剛性部を芯材にて構成することにより、マスク本体内に芯材を挿入するだけで布地を前方へ容易に湾曲させ保持することができ、それによって呼吸用空間を形成できると共に、マスク本体を一枚の布地にて簡素化して製作することができる。なお、ワイヤとして形状記憶合金を用いれば、マスク本体の膨らみ形状を長期間保持できて好ましい。
【００１６】
さらに、本発明のマスクにおいて、マスク本体の剛性部が縫い合わせ部又は接着部、あるいは芯材からなり、かつ剛性部が上下方向に形成される場合には、マスク本体の左右両端部にギャザが設けられてもよい。このようにすれば、ギャザの伸縮によって使用者の顔の形状、大きさに対応しながら両耳側の頬にマスク本体の左右両端部を隙間無くフィットさせることができ、マスク本体の左右両端部から内側への塵、埃及び微粒子等の侵入を確実に防止することができる。
【００１７】
また、本発明のマスクは、マスク本体の裏面側の上縁近傍でかつ左右１対で設けられ、装着時に両頬から鼻梁へ立ち上がる部分とマスク本体の少なくとも上縁部との間に形成され得る隙間を閉塞する上部閉塞部材をさらに備えてなるものであってもよい。
つまり、両頬から鼻梁へ立ち上がる部分とマスクとの間を上部閉塞部材にて閉塞することにより、マスク上縁側からの花粉や微粒子や病原菌等の侵入を防止し、より衛生的に呼吸することができるようにしている。
この上部閉塞部材としては、弾性や可塑性や可撓性を有するシート状もしくは塊（パッド）状の部材を用いることができるが、具体的に次の（３）、（４）の構成を挙げることができる。
【００１８】
（３）上部閉塞部材が、マスク本体の裏面側の上縁近傍に、内側に折り返し可能に取り付けられる弾性フラップからなる。この弾性フラップは、例えば１〜５ｍｍのスポンジ、布地、これらの複合体等を構成材料に用いることができ、その左右中央寄りの内端側が、該フラップを内側に折り返したときに鼻梁又はその近傍に沿うような形状に形成される。例えば、略台形状、略矩形状、略三角形状、略楕円形状等の所望の形状に形成した２枚の弾性フラップを、その下端側をマスク本体の裏面側の上縁近傍にそれぞれ縫い付け、上端側を内側へ折り返してマスクを装着する。また、弾性フラップを内側へ折り返し、少なくともその外端部を予めマスクの内面に縫い付けたり接着等により固定してもよい。
（４）上部閉塞部材が、マスク本体の裏面側の上縁近傍で、かつ左右中央寄りに付設されるパッド材からなる。このパッド材としては、弾性パッド、あるいは外力に応じて変形可能な可塑性パッドが好ましく、さらにはマスク本体に一体的に取り付けられたもの、あるいはマスク本体に対して別体で着脱可能なものであってもよい。一体的に取り付けられたものとしては、例えば、マスク本体の所定部位にパッドを構成するポケット部を左右１対設け、そのポケット部の中にスポンジ体、軟質ゴム体、軟質プラスチック体等の弾性体を入れて縫い込んで弾性パッドを形成したり、流動性を維持する粉体やゲル状物又は液体を充填封入した袋体を入れ込んで縫い込んで可塑性パッドを形成したり、あるいは先に布袋に上記弾性体又は袋体を入れて縫い込んでパッド材を形成し、後でパッド材をマスク本体に縫い付ける構成が挙げられる。着脱可能なものとしては、例えば、上述のように布袋に弾性体又は袋体を入れて縫い込んで形成したパッド材とマスク本体に、面状ファスナーのフック部とループ部を縫い付けておき、フック部とループ部の掛合により上部パッド材がマスク本体に取り付けられ、フック部とループ部の離脱により上部パッド材がマスク本体から取り外される。なお、弾性フラップ又は弾性パッドに用いられる各種弾性体の弾性力は、長時間マスクをつけていてもその押圧が苦にならない程度のもので、かつ十分な閉塞性を確保できる程度のものが好ましい。また、可塑性パッドを構成する粉体としては砂、酸化チタン、ケイ酸アルミニウム等の無機粉体や粒状体等を用いることができ、ゲル状物としてはカルボキシビニルポリマー（カーボポール）、ポリアクリル酸又はその塩類等を用いることができ、液体としてはシリコーンオイル等を用いることができ、いずれも人体に無害な物質が望ましい。
【００１９】
また、本発明のマスクは、マスク本体の裏面側の下縁近傍に設けられ、装着時に少なくとも下唇の下部とマスク本体下縁部との間に形成され得る隙間を閉塞する下部閉塞部材をさらに備えてなるものであってもよい。
つまり、マスク装着時に下唇の下部とマスク本体下縁部との間に形成され得る隙間を下部閉塞部材にて閉塞することにより、話をしたり食べ物を噛んだりして下顎を上下に動かしても下部閉塞部材が滑り止めとなってマスク本体がずれ上がることがなく、従来のようなマスクのずれ上がりを手で直すような煩わしさがなくなる。
【００２０】
この下部閉塞部材としては、マスク本体の裏面側の下縁近傍に付設される下パッド材とすることができる。この下部パッド材は、下弾性パッド、あるいは外力に応じて変形可能な下可塑性パッドが好ましく、さらに上述のようにマスク本体に一体的に取り付けられたもの、あるいはマスク本体に対して別体で着脱可能なものであってもよい。なお、下弾性パッドは、上述の上部閉塞部材と同様にスポンジ体、軟質ゴム体、軟質プラスチック体等の弾性体を布袋に入れて縫い込んだ構成とすることができ、一方下可塑性パッドは、上述の上部閉塞部材と同様に流動性を維持する粉体やゲル状物又は液体を充填封入した袋体を布袋に入れ込んで縫い込んだ構成とすることができる。
【００２１】
本発明において、耳掛け部としては、伸縮性を有するゴム紐、あるいは紐長さ調節部材を備える耳掛け紐を用いることができる。なお、紐長さ調節部材の具体構成については、後述の実施の形態にて説明する。
また、耳掛け部が耳掛け紐からなる場合には、この耳掛け紐は、その幅の略中央部で折曲げられてマスク本体の上縁部及び下縁部を挟み込んだ状態で、縫い込みまたは接着により取り付けられるようにしてもよい。つまり、耳掛け紐をマスク本体の左右両端部内側に取り付けたマスクを装着した場合では、その耳掛け紐の取付部分の跡が頬に付き易いため、このような跡を付き難くしている。
【００２２】
また、本発明のマスクは、マスク本体、耳掛け部又は紐長さ調節部材の少なくともいずれかにアクセサリが設けられているのもよい。特に、耳掛け紐の長さを調節するための紐長さ調節部材を有する場合には、この紐長さ調節部材を隠す、あるいは目立たなくする目的と、マスクをデザイン的、ファッション的に改善する目的で、アクセサリが設けられる。なお、アクセサリとしては、例えば布地やプラスチック、金属等にて蝶、リボン、ハート、星、花等の各種形状に形成されたものを挙げることができ、その取り付けは縫込みや接着等により行うことができる。
【００２３】
また、本発明のマスクは、マスク本体の外側又は内側の何れかに、マスク本体の外面又は内面を実質的に覆う大きさで、かつ直径が０．３μｍ以上の大きさの空気中の微粒子を９５％以上カットできるろ過能力を有するフィルタ部材がさらに設けられてなるものであってもよい。ここで、「直径が０．３μｍ以上の大きさの空気中の微粒子を９５％以上カットできるろ過能力」とは、ＣＤＣ（米国疾病対策センター）の「医療施設における結核感染防止のガイドライン（１９９４年）」に適合（Ｎ９５に適合）したろ過能力を意味している。
このようなフィルタ部材を備えることによって、塵、埃、花粉等よりも小さな微生物、菌等（例えば結核菌、肺炎ウイルス）をフィルタ部材にて除去することができ、このような菌の空気感染の予防、拡大に有効である。
【００２４】
このようなフィルタ部材は、マスク本体に着脱可能に取り付けられているのが、容易に交換できる上で好ましく、マスク本体の内側に着脱可能に取り付ける場合は、上述したフィルタ挟持部にフィルタ部材を収納すればよい。また、フィルタ部材をマスク本体の外側に着脱可能に取り付ける場合には、マスク本体の外側に着脱可能に取り付けられる通気性のマスクカバーをさらに備えることにより、フィルタ部材をマスクカバーとマスク本体との間に収納することができる。なお、マスクカバーのマスク本体への着脱手段としては、ホックや面状ファスナーなどの従来公知の方法を用いることができる。
【００２５】
また、本発明は、別の観点によれば、左半面を構成する左布地部と右半面を構成する右布地部とを有するマスク本体と、一対の耳掛け紐とを備えたマスクを製造するマスクの製造方法であって、
マスク本体を、左布地片と右布地片とを重ね合せ、左布地片と右布地片とを相互に縫い合わせて又は接着して形成し、かつこの縫い合わせ又は接着に際して、縫い合わせるライン又は接着するラインを、左布地部と右布地部を開いて着用した状態で内側に呼吸用空間を形成可能に湾曲させるマスクの製造方法を提供することができる。
【００２６】
また、本発明は、さらに別の観点によれば、上下複数枚に分割された分割布地部を有するマスク本体と、一対の耳掛け紐とを備えたマスクを製造するマスクの製造方法であって、
マスク本体を、上側の分割布地片と下側の分割布地片とを重ね合せ、上下の分割布地片を相互に縫い合わせて又は接着して形成し、かつこの縫い合わせ又は接着に際して、縫い合わせるライン又は接着するラインを、上下の分割布地部を開いて着用した状態で内側に呼吸用空間を形成可能に湾曲させるマスクの製造方法を提供することができる。なお、この場合、上下とは、上下２枚の分割布地部以外にも、その中間に配置される分割布地部をも含むことを意味する。
【００２７】
【発明の実施の形態】
以下、本発明の実施の形態を図面に基づいて詳説する。なお、本発明は実施の形態に限定されるものではない。
【００２８】
［実施の形態１］
図１は本発明の実施の形態１に係るマスクの正面図であり、図２は同実施の形態１のマスクの平面図であり、図３は同実施の形態１のマスクの背面図であり、図４は図１のＡ−Ａ断面図であり、図５は同実施の形態１のマスクの使用状態を示す説明図である。
【００２９】
実施の形態１のマスクＭは、正面から見て左半面を構成する呼吸に適した通気性を有する左布地部１１と右半面を構成する呼吸に適した通気性を有する右布地部１２とを具備するマスク本体１と、一対の耳掛け部２、２と、左布地部１１の左端部側及び右布地部１２の右端部側に設けられた左右のネット部３、３と、マスク本体１の内面側に設けられたフィルタ挟持部１７とを備えている。
【００３０】
マスク本体１は、左布地部１１と、この左布地部１１と左右対称形の右布地部１２とが相互に縫い合わされた剛性部としての縫い合わせ部１３を有している。この縫い合わせ部１３は、左布地部１１と右布地部１２を開いて着用した状態で内側に呼吸用空間１６を形成可能なように前方へ湾曲している。つまり、マスク本体１は、横から見ると上下方向の中間位置よりも少し上位に、かつ縫い合わせライン上に頂部１４が配置された前方突出山形状（図４、図５参照）に膨らんでいる。
【００３１】
このように前方（外側）へ膨らむ縫い合わせ部１３をマスク本体１の左右中間位置に形成したことにより、マスク本体１の内面側にはこれとは逆の凹み１５が形成され、この凹み１５にマスク本体１を装着した使用者の鼻が収まるようになっている（図５参照）。したがって、この凹み１５によって、使用者の鼻の下に上記呼吸用空間１６が形成され、この空間１６によって使用者は鼻及び／又は口による呼吸を楽に行うことができる。なお、上記空間１６によって発声もし易くなる。また、平面状の一般的なマスクを着用した場合では、鼻筋の左右側にマスク辺縁との隙間が形成され、この隙間から外気中の花粉や病原菌がマスク内側に侵入して体内に吸入するおそれがあったが、これに対し本発明のマスクＭでは上記凹み１５が鼻筋の左右の傾斜に沿うので隙間が形成されず、上述のようなおそれがない。また、左布地部１１と右布地部１２の隣接する辺縁を重ね合わせて縫い合わされた縫い合わせ部１３が、その剛性により膨らみ形状の骨となってその膨らみ形状を補強し、それによって左布地部１１及び右布地部１２が薄い布地であっても上記膨らみ形状が形状保持される。
【００３２】
また、左布地部１１及び右布地部１２は、それぞれ外面布地部１１ａ、１２ａと内面布地部１１ｂ、１２ｂとから二重構造に形成されている。左布地部１１及び右布地部１２の素材としては、綿、麻、絹、合成繊維などの各種素材からなる通気性を有する布地を使用することができ、特に限定されるものではないが、例えば、外面布地部１１ａ、１２ａは綿布にて構成し、内面布地部１１ｂ、１２ｂは合成繊維布にて構成するなど内外面の素材を変えてもよく、あるいは同じくしてもよい。また、本発明のマスクＭにおいて、外面布地部１１ａ、１２ａの色は一般的な白以外にも、青、赤、黄、緑等の原色や中間色など各種色彩を選択し、病気のイメージを消し、ファッション性を付加するようにしてもよい。
【００３３】
左右一対の耳掛け部２、２は平らなゴム紐からなり、マスク本体１の左右布地部１１、１２の左右端縁に輪状にそれぞれ縫い付けられている。この耳掛け部２、２は、ゴム紐の伸縮性により使用者の顔のサイズに対応することができると共に、平らであるためマスク着用時の耳への締め付けを緩和し、長時間着用しても耳が痛くならないように配慮している。また、各耳掛け部２の上辺と下辺を繋ぐゴム紐３ａがマスク本体１寄りに設けられており、この各ゴム紐３ａと各耳掛け部２とマスク本体１とで囲まれたスペースに上記ネット部３が張設されている。このネット部３、３によって、マスク着用時において、使用者の頬へのマスクＭのフィット感を向上させるとともに、デザイン性を付加している。
【００３４】
ポケット状のフィルタ挟持部１７は、例えば通気性のよい網生地からなるポケット布地部４の左右端縁と下端縁を、マスク本体１の内面周縁に縫い付けることにより上方開口状に形成されている。このフィルタ挟持部１７は、少なくともその唇に接する部分には、水分をマスクの内側から外側へ移動させる材質にて構成されている。具体的には、例えば、東レ（株）の商品名：フィールドセンサーが用いられる。このようなフィルタ挟持部１７によれば、マスク内側の蒸れを軽減することができる。さらに、このフィルタ挟持部１７の少なくとも唇に接する部分には、抗菌性が付与されている。この場合、例えば、フィルタ挟持部の意図する部分に銀メッキを施して抗菌性を付与したり、また、銀メッキコーティングした繊維やポピドンヨードを含浸させた繊維等でフィルタ挟持部を構成してこれ全体に抗菌性を付与したりできる。
【００３５】
このフィルタ挟持部１７には、例えば微小な花粉、病原菌（例えば結核菌、肺炎ウイルス）、微粒子（例えばタバコの煙の微粒子、排気ガスの微粒子など）等を吸着除去し得るフィルタ１８、好ましくは上記Ｎ９５に適合するフィルタが収納される。
なお、微小な花粉や微粒子等を濾過し得る優れたフィルタとしては、例えば特許第３２８１４８０号を挙げることができる。より詳しくは、フィルタを通過する空気流の方向での断面が最大３０ミクロンを有するマイクロフィラメントのストランド織物の単一層からなり、それらのストランドは最大２０ミクロンの間隔を置いて配置され、かつ平滑な外面を有するフィルタである。マイクロフィラメントのストランドの素材としては、ポリエステル、ナイロン、ポリプロピレン、カーボン、ファイバーグラス、セラミック、金属ストランドが挙げられる。このフィルタでは、一般的に２０ミクロンよりも大きいアレルギー性の花粉を除去することができる。このような素材は市販で入手し得る。その他、濾過材の１枚の単層シート中に、濾過される微粒子の最小径よりも小さい最大径を有する複数の穴を、レーザカット、Ｘ線リソグラフィー、化学エッチング又は微孔シートの延伸によって形成するフィルタがある。レーザカット、Ｘ線リソグラフィー又は化学エッチングによる穴開けには濾過材として不織布の使用が可能であり、微孔シートの延伸による穴開けには濾過材として微孔プラスチックシートの使用が可能である。このフィルタは、タバコの煙の微粒子や車の排気ガスの微粒子等を濾過する場合に用いられ、孔径はそれらの微粒子よりも小さい０．０１ミクロン程度とされる。
【００３６】
また、上記とは別に、不織布に放射線グラフト重合法を利用して作製したフィルタを本発明のマスクに好適に用いることができる。例えば、ポリエチレンやポリプロピレン等の繊維からなる不織布に、α線、β線、γ線、電子線、紫外線等の放射線を照射してラジカルを発生させ、これにグラフトモノマーを反応させることにより所望のグラフト重合体側鎖を導入して所望の機能を具備したフィルタを製造することができる。
具体例としては、グラフトモノマーにビニルピロリドンを選択することにより、ポリビニルピロリドンを導入した不織布が得られ、これをさらにヨウ素溶液に浸漬することによってポピドンヨードが添着された不織布となり、抗菌フィルタとして好適に用いることができる。
また、グラフトモノマーにビニルベンジルトリメチルアンモニウムクロリド（ＶＢＴＡＣ）を選択しさらに適当なモノマーを存在させることにより、ＶＢＴＡＣが導入された不織布が得られ、これは花粉フィルタとして好適に用いることができる。
【００３７】
次に、このように構成されたマスクＭのマスク本体１の製造方法について説明する。
マスク本体１は、上述したように二重構造であるため、その外側と内側は個別に形成される。つまり、左布地部１１及び右布地部１２の外面布地部１１ａ、１２ａを相互に縫い合わせて外側部材を形成し、かつ左布地部１１及び右布地部１２の内面布地部１１ｂ、１２ｂを相互に縫い合わせて内側部材を形成する。そして、外側部材と内側部材とを重ね合わせてその周縁を縫い合わせて、マスク本体１を形成する。
【００３８】
ところで、外側部材及び内側部材は、例えば下記の（ａ）（ｂ）のようにしてそれぞれ形成することができる。
（ａ）左布地部１１を構成する左布地片と右布地部１２を構成する右布地片を、左右対称で、かつ隣接するそれぞれの辺縁が面外方へ凸形に湾曲した所定の形状、この場合略への字形に予め形成する。そして、形成した左布地片と右布地片を重ね合わせ、略への字形の辺縁に沿って縫い合わせる。このようにすれば、略への字形に湾曲した辺縁に沿って縫い合わせるだけで、左布地片と右布地片とを目的とするライン形状に容易に縫い合わせることができる。
（ｂ）上記（ａ）において、左布地片と右布地片とが隣接するそれぞれの辺縁をストレート形にしておく。そして、形成した左布地片と右布地片を重ね合わせ、重ね合わた辺縁を、例えば型紙を用いて面外方へ凸形に、この場合略への字形に湾曲して縫い合わせ、その後、縫い合わせた辺縁の余剰部分を縫い合わせラインに沿って鋏などでカットする。このようにすれば、上記（ａ）のように予め辺縁を略への字形に面外方へ湾曲した形状に形成する必要がなく、左布地片及び右布地片の製作が容易となる。
なお、上記（ａ）（ｂ）において、外側部材及び内側部材の各縫い合わせ部の縫い代は、外部から見えないように二重構造の内部に配置処理される。
【００３９】
上記（ａ）（ｂ）の方法により形成した外側部材及び内側部材は、その左布地部１１と右布地部１２を開くことにより、横から見て縫い合わせラインが略への字形に立体的に湾曲したものとなる。そして、このように縫い合わせラインが膨らんだ外側部材と内側部材を上述の如く重ね合わせてその周縁を縫い合わせることにより、マスク本体１が形成される。
なお、実施の形態１では、左布地部と右布地部とを縫い合わせる手法を用いたが、接着剤を用いて接着するようにしてもよい。
【００４０】
［実施の形態２］
図６は実施の形態２に係るマスクの正面図であり、このマスクＭ２は、左半面を構成する左布地部２１と右半面を構成する右布地部２２とを具備する前方突出山形状に膨らんだマスク本体２０と、マスク本体２０に両端が縫い付けられた一対の耳掛け部２５、２５と、マスク本体２０の内面側に設けられたポケット布地部２４とを備え、実施の形態１と異なる点は、実施の形態１におけるネット部３、３及びゴム紐３ａ、３ａ（図１、図３等参照）を省略したことのみである。
【００４１】
［実施の形態３］
図７は実施の形態３に係るマスクの背面図であり、図８は図７のＢ−Ｂ線断面図であり、図９は同実施の形態３のマスクの平面図であり、図１０は同実施の形態３のマスクの使用状態を示す説明図である。
【００４２】
この実施の形態３のマスクＭ３は、左半面を構成する左布地部２１と右半面を構成する右布地部２２とを具備する前方突出山形状に膨らんだマスク本体２０と、マスク本体２０に縫い付けられた一対の耳掛け部２５、２５と、マスク本体２０の内面側に設けられたポケット布地部２４とを備え、ここまでの構成は実施の形態２と同様であり、同一の要素には同一の符号を付している。さらに、実施の形態３のマスクＭ３は、マスク本体２０の裏面側の上縁近傍で、かつ左右中央寄りに略左右対称に設けられ、装着時に両頬から鼻梁へ立ち上がる部分にフィットして、この部分とマスク本体２０の上縁部との間に形成され得る隙間を閉塞する左右一対の上部閉塞部材としてのパッド材２６、２７が設けられている。
【００４３】
各パッド材２６、２７は、具体的にはそれぞれ外力に応じて変形可能な可塑性パッドからなり、この可塑性パッドは、流動性を維持する粉体、ゲル状物又は液体を充填封入した袋体を布袋に入れて縫い込まれて形成されている。この場合、各パッド材２６、２７は、マスク本体Ｍ３の裏面にぶらつかない程度に縫い付けられ、下端がポケット布地部２４にて覆われている。
このパッド材２６、２７を備えるマスクＭ３を装着することにより、両頬から鼻梁へ立ち上がる部分とマスク本体２０との間の隙間が閉塞されるので外気中の花粉、病原菌、微粒子（例えばタバコの煙の微粒子、排気ガスの微粒子など）等が侵入できず、使用者はより衛生的に呼吸することができる。なお、上記パッド材２６、２７は縫い付ける以外に、マスク本体に接着されるものであってもよい。また、この縫い付けや接着は、各パッド材２６、２７の上部のみにして、各パッド材２６、２７のフリーな下部にポケット布地部２４の上縁部を挿入する構成であってもよい。なお、各パッド材２６、２７は、例えば図９に示すように、略三角形の平面図を与えるような形状に形成されるものであっても良い。この場合、各パッド材はそれぞれ別体に構成されていてもよく、またこれらが一体に構成されていて、縫い付け等の取り付けにより２分割されるようなものであってもよい。
【００４４】
［実施の形態４］
図１１は本発明の実施の形態４に係るマスクを示す背面図であり、この実施の形態４のマスクＭ４は、上記実施の形態３における左右一対のパッド材２６、２７を左右一対の弾性フラップ３１、３２に替えたものであり、その他の構成は実施の形態３と同様であり、同一の要素には同一の符号を付している。
【００４５】
各弾性フラップ３１、３２は、略台形状のシート状のスポンジ体が布袋に入れられて縫い込まれて形成されてなり、下端側がマスク本体２０の裏面側の上縁近傍にそれぞれ縫い付けられており、装着前の状態では弾性によって平面状に延びている。
このマスクＭ４では、各弾性フラップ３１、３２を内側へ折り曲げて装着するが、折り曲げることにより弾性フラップ３１、３２が上下逆の形状（底辺が短い台形）になり、弾性による膨らみと相まって、その左右中央寄りの内端側が鼻梁又はその近傍に沿い、かつ頬から鼻梁にかけて密着する。したがって、両頬から鼻梁へ立ち上がる部分とマスク本体２０との間の隙間が閉塞され、外気中の花粉、病原菌、微粒子（例えばタバコの煙の微粒子、排気ガスの微粒子など）等のマスクＭ３の内側への侵入が防止される。
【００４６】
［実施の形態５］
図１２は本発明の実施の形態５に係るマスクを示す背面図であり、この実施の形態５のマスクＭ５は、実施の形態４における各弾性フラップ３１、３２を内側へ折り曲げ、折り曲げて上下逆形状（底辺が短い台形）にした状態で外端部をマスク本体２０の裏面に縫い付けて固定したものである。マスクＭ５の装着前の状態では、各弾性フラップ３１、３２の折り曲げられた部分の左右中央寄りの内端側は、弾性によって膨らんでいる。マスクＭ５を装着することにより、上述のごとく弾性フラップ３１、３２はその左右中央寄りの内端側が鼻梁又はその近傍に沿い、かつ頬から鼻梁にかけて密着し、それによって両頬から鼻梁へ立ち上がる部分とマスク本体２０との間の隙間が閉塞される。
【００４７】
［実施の形態６］
図１３は本発明の実施の形態６に係るマスクを示す背面図である。この実施の形態６のマスクＭ６は、実施の形態３のように、マスク本体２０と、左右一対の耳掛け部２５、２５と、ポケット布地部２４ａと、左右一対のパッド材２６、２７を備えるものであるが、ポケット布地部２４ａはその上端がマスク本体２０の上縁近傍に封着され、左右の少なくともいずれか一方側にフィルタの挿入口を有している。また、各パッド材２６、２７は、マスク本体２０の上縁近傍に縫い付けられて、図１３に示すように自由状態では内側へ折り返した状態で下部がぶらつくように垂れている。この場合、各パッド材２６、２７は、スポンジ、ゴム、軟質プラスチック等の弾性体を収納した布袋からなる。
また、この実施の形態６のマスクＭ６は、上記実施の形態１〜５とは異なり、下部閉塞部材としての下パッド４０がマスク本体２０の裏面側の下縁近傍に設けられている。
【００４８】
このマスクＭ６の下パッド４０は、装着時に少なくとも下唇の下部とマスク本体２０の下縁部との間に形成され得る隙間を閉塞するものであり、下唇と下顎との間の窪みラインに沿う棒状に形成されており、マスク本体２０の裏面側の下縁近傍に面状ファスナーにより着脱自在に取り付けられている。具体的に下部パッド材４０は、外力に応じて変形可能な下可塑性パッドであり、この下可塑性パッドは、流動性を維持する粉体、ゲル状物又は液体を充填封入した袋体を布袋に入れて縫い込んで形成されている。
このマスクＭ６を装着することにより、上記実施の形態３の効果に加え、話をしたり食べ物を噛んだりして下顎を上下に動かした場合に下パッド４０が滑り止めとなり、マスク本体２０がずれ上がることが抑制され、従来のようなマスクのずれ上がりを手で直すような煩わしさがなくなる。
【００４９】
［実施の形態７］
図１４は本発明の実施の形態７に係るマスクを示す背面図である。この実施の形態７のマスクＭ７は、実施の形態５のように弾性フラップ３１、３２を有するマスク本体の裏面側の下縁近傍に下パッド材４１が設けられたものである。なお、ポケット布地部２４ａはその上端がマスク本体２０の上縁近傍に封着され、左右の少なくともいずれか一方側にフィルタの挿入口を有している。
【００５０】
この実施の形態７の場合、下パッド材４１は、マスク本体２０の下縁に沿って縫い付けられた細長状の布袋と、袋部内に縫い込まれたスポンジとからなり、マスク装着前の状態ではマスク本体２０の下縁付近に垂れており、装着時には図１４に示すごとく内側（上方）へ折り返され、下唇の下部とマスク本体２０との間の隙間を閉塞する。
このマスクＭ７を装着することにより、上記実施の形態４又は５の効果に加え、話をしたり食べ物を噛んだりして下顎を上下に動かした場合に下パッド４０が滑り止めとなり、マスク本体２０がずれ上がることが抑制され、従来のようなマスクのずれ上がりを手で直すような煩わしさがなくなる。
【００５１】
［実施の形態８］
図１５は本発明の実施の形態８に係るマスクを示す正面図であり、図１６は図１５のマスクの平面図である。
【００５２】
この実施の形態８のマスクＭ８は、マスク本体５０が、左半面を構成する左布地部５１と右半面を構成する右布地部５２とからなる通気性のマスク芯部５３と、このマスク芯部５３の表面を覆う通気性のカバー５４とから構成されている。さらに、マスク芯部５３において、左布地部５１は２つの分割布地部分５１ａ、５１ｂからなると共に、右布地部５２は２つの分割布地部分５２ａ、５２ｂからなり、分割布地部分５１ａ、５１ｂは湾曲度が異なるように縫い合わされると共に、分割布地部分５２ａ、５２ｂは湾曲度が異なるように縫い合わされている。これら左布地部５１と右布地部５２が相互に縫い合わせられてマスク芯部５３が形成されており、その縫い合わせラインが、左布地部５１と右布地部５２を開いて着用した状態で内側に呼吸用空間を形成可能に前方へ湾曲させた剛性部としての縫い合わせ部からなっている。また、カバー５４は、左カバー布地部５４ａと右カバー布地部５４ｂとを相互に縫い合わせて形成されており、この縫い合わせ部（縫い合わせライン）５５は、カバー５４をマスク芯部５３の立体膨らみ形状と略同じ形状に保持する剛性部となっている。
【００５３】
このマスクＭ８によれば、マスク本体５０を立体的に外側へ膨らむ形状に形成することが容易であり、装着の際に鼻及び口の周囲により広い呼吸用空間を形成することができると共に、マスク本体５０の裏面の左右端側を両頬にフィットさせる湾曲度が得られ易くなる。なお、このマスクＭ８に、実施の形態３〜７で説明した上閉塞部材及び／又は下閉塞部材を設けて、マスク上縁側の隙間からの花粉や微粒子等の侵入を防止したり、下顎の動きによるマスクのずり上がりを防止するように構成してもよい。
【００５４】
［実施の形態９］
図１７は本発明の実施の形態９のマスクを示す正面図であり、図１８は図１７における２点鎖線の円内の部分の拡大断面図である。
この実施の形態９のマスクＭ９は、マスク本体６０の左右側縁に設けられた耳掛け部が平らな耳掛け紐６１、６１からなり、さらに各耳掛け紐６１、６１の長さを調節する紐長さ調節部材６２、６２と、左の紐長さ調節部材６２に付設された蝶形のアクセサリ６３とを備えたものである。
【００５５】
紐長さ調節部材６２は、耳掛け紐６１の部分（途中部）であって、マスクＭ９を装着した状態で耳に触れない位置に設けられ、本実施の形態９の場合、耳掛け紐６１の上辺に設けられている。この紐長さ調節部材６２は、マスク本体６０の耳掛け紐接続部側に配置されたＯリング部材６４と、Ｏリング部材６４の近傍に配置された日の字形の調節具６５とからなる。耳掛け紐６１の上辺部分は、Ｏリング部材６４と接続する部分が切断されており、その切断部分のマスク本体６０側の端部６１ａは輪を形成して接続され、もう一方の端部６１ｂは調節具６５にへの字状に通され、Ｏリング部材６４に通されて折り返して調節具６５の端部６５ａに輪を形成して接続されている。この紐長さ調節部材６２によって、Ｏリング部材６４と調節具６５との間に耳掛け紐６１の長さを変えることができる輪状部６１ｃが形成される。つまり、調節具６５をＯリング部材６４側へ移動させれば輪状部６１ｃが短くなって耳賭け紐６１の全長が長くなり、調節具６５をＯリング部材６４から離れる方向へ移動させれば輪状部６１ｃが長くなって耳賭け紐６１の全長が短くなる。
また、アクセサリ６３は、左右の紐長さ調節部材６２の各Ｏリング部材６４、６４の表面、あるいはいずれか一方のＯリング部材６４の表面に接着されている。
【００５６】
このマスクＭ９によれば、装着する使用者の顔の大きさに対応して左右の耳掛け紐６１、６１の長さを調整することができるので、耳掛け紐が短くてマスクが装着できない、あるいは耳が痛くなるといったことや、反対に耳掛け紐が長くてマスク本体が顔にフィットせず隙間ができるといったことがなく、快適に装着することができる。また、アクセサリ６３は、無機質的な長さ調節部材６２を隠すことができると共に、マスクＭ９のファッション性を付加するワンポイントとなり、マスクの病的なイメージを和らげることができる。なお、このマスクＭ９のマスク本体６０としては、実施の形態１〜７のもの、あるいは実施の形態８のものを適用することができる。また、実施の形態３〜７で説明した上閉塞部材及び／又は下閉塞部材をマスク本体Ｍ９に設けるのも好ましい。
【００５７】
［実施の形態１０］
図１９は本発明の実施の形態１０のマスクを示す正面図である。このマスクＭ１０は、紐長さ調節部材６２の構成は上記実施の形態９と同様であるが取付位置が若干異なっている。
【００５８】
つまり、左右の耳掛け紐６６、６６の各上辺端部を取り付ける部位であるマスク本体６０の耳掛け紐接続部（左右側縁の上端）に、各紐長さ調節部材６２のＯリング部材６４の一部が縫い込まれている。それに伴って、アクセサリ６７もマスク本体６０の耳掛け紐接続部に取り付けられている。この場合、アクセサリ６７はリボン形であり、耳掛け紐接続部に縫い付けられている。
【００５９】
［実施の形態１１］
図２０は本発明の実施の形態１１のマスクの正面図であり、図２１は同実施の形態１１のマスクにおける右の耳掛け紐を示す拡大断面図である。このマスクＭ１１は、マスク本体７０の左右側縁に設けられた耳掛け紐７１、７１及び各耳掛け紐７１、７１の長さを調整する紐長さ調節部材７２、７２の構成が、上記実施の形態９、１０とは異なっている。なお、マスク本体７０としては、実施の形態１〜７のもの、あるいは実施の形態８のものが適用される。
【００６０】
マスクＭ１１の右側について説明すると、紐長さ調節部材７２は、上記実施の形態９、１０で説明した調節具６５が２個設けられてなり、各調節具６５、６５は、耳掛け紐７１の上辺及び下辺のそれぞれマスク寄りに配置されている。
耳掛け紐７１は、一端が上の調節具６５にへの字状に通されてマスク本体７０の上の耳掛け紐接続部に縫い付けられ、かつ他端が下の調節具６５の端部に輪を形成して取り付けられた上紐部７１ａと、一端が下の調節具６５にへの字状に通されてマスク本体７０の下の耳掛け紐接続部に縫い付けられ、かつ他端が上の調節具６５の端部に輪を形成して取り付けられた下紐部７１ｂとからなる。そして、耳掛け紐７１における上紐部７１ａと下紐部７１ｂが重なる部分は、全長を変えることができる重なり部７１ｃとされている。
なお、マスクＭ１１の左側の耳掛け紐７１及び紐長さ調節部材７２の構成も、右側と同様である。
【００６１】
このマスクＭ１１によれば、上の調節具６５及び／又は下の調節具６５をマスク本体７０から離れる方向に移動させれば重なり部７１ｃが短くなって耳賭け紐７１の全長が長くなり、上の調節具６５及び／又は下の調節具６５をマスク本体７０に近づける方向に移動させれば重なり部７１ｃが長くなって耳賭け紐７１の全長が短くなる。なお、上紐部７１ａと下紐部７１ｂのそれぞれの少なくとも接触面側は、摩擦抵抗の大きい（例えば、毛羽立ちの多い）布地にて構成したり、あるいは重なり部７１ｃにおける耳に触れない部位に筒状の絞り部材を設けることにより、装着したマスクＭ１１の耳賭け紐７１が不意に伸びないように構成してもよい。また、実施の形態３〜７で説明した上閉塞部材及び／又は下閉塞部材をマスク本体Ｍ１１に設けるのも好ましく、さらに実施の形態９、１０で説明したアクセサリを、マスク本体７０又は耳賭け紐７１の少なくともいずれか一方に１個以上設けてもよい。
【００６２】
［実施の形態１２］
図２２は本発明の実施の形態１２のマスクを示す正面図である。この実施の形態１２のマスクＭ１２は、実施の形態２のマスク（図６参照）においてマスク本体８０の左右両端部にギャザ８１、８１がそれぞれ設けられたものであり、その他の構成は同様である。各ギャザ８１は、マスク本体８０の左右両端部の内部又は内面側に、例えばゴム紐をそれぞれ縫い付けることにより形成することができる。なお、上記ギャザ８１は図２２に示すよりももっときつく絞ってギャザ長を短くすると、ギャザが緻密になってこのギャザを通じての花粉等の侵入を防止できると共に、マスク全体の湾曲度も増すので装着時の顔面との密着性がさらに良好となる点で好ましい。
【００６３】
［実施の形態１３］
図２３は本発明の実施の形態１３のマスクを示す正面図である。この実施の形態１３のマスクＭ１３は、マスク本体９０が、上下２枚に分割された分割布地部９１、９２からなる。なお、このマスクＭ１３は、実施の形態１と同様に、マスク本体９０が内外二重構造であり、図面では外側の分割布地部９１、９２のみ示されており、内側にも外側と同様の上下の分割布地部が設けられている。
【００６４】
このマスクＭ１３は、その剛性部が、上側の分割布地部９１と下側の分割布地部９２とを相互に縫い合わせ、その左右方向の縫い合わせラインを、上下の分割布地部９１、９２を開いて着用した状態で内側に呼吸用空間を形成可能に前方へ湾曲させた縫い合わせ部９３から構成されている。このマスクＭ１３の開いた状態を正面から見ると、縫い合わせ部９３が、マスク本体９０の外側に膨らむ頂部の直上又はその近傍を直線的に通るように配置されている。つまり、剛性部が、左右方向に形成されている。
【００６５】
次に、このように構成されたマスクＭ１３のマスク本体９０の製造方法について説明する。
マスク本体９０は、上述したように二重構造であるため、その外側と内側は個別に形成される。上下の分割布地部９１、９２からそれぞれ構成される外側部材及び内側部材は、例えば下記の（ｃ）（ｄ）のようにしてそれぞれ形成することができる。
【００６６】
（ｃ）上下の分割布地片を、隣接するそれぞれの辺縁が面外方へ凸形に湾曲した形状に予め形成し、上下の分割布地片を相互に縫い合わせるに際して、重ね合わせた上下の分割布地片の辺縁に沿って縫い合わせる。
【００６７】
（ｄ）上下の分割布地片を相互に縫い合わせるに際して、重ね合わた上下の分割左布地片の辺縁を面外方へ凸形に湾曲して縫い合わせ、その後、その縫い合わせた辺縁の余剰部分を縫い合わせラインに沿ってカットする。
【００６８】
また、上記（ｃ）（ｄ）において、上下の分割布地部９１、９２は、それらが縫い合わされて上下の分割布地部９１、９２毎に湾曲度が異なるように構成してもよく、それによってマスクＭ１３を装着した使用者の顔のラインに沿うようにすることができる。
なお、上記（ｃ）（ｄ）において、外側部材及び内側部材の各縫い合わせ部の縫い代は、外部から見えないように二重構造の内部に配置処理される。
【００６９】
上記（ｃ）（ｄ）の方法により形成した外側部材及び内側部材は、その上下の分割左布地部９１、９２を開くことにより、上又は下から見て縫い合わせラインが略への字形に立体的に湾曲したものとなる。そして、このように縫い合わせラインが膨らんだ外側部材と内側部材を重ね合わせてその周縁を縫い合わせることにより、マスク本体９０が形成される。
なお、この実施の形態１３では、上下の分割左布地部を縫い合わせる手法を用いたが、接着剤を用いて接着するようにしてもよい。また、マスク本体の二重構造の外側部材の代わりに、通気性のカバー（図１５参照）を設けるようにしてもよい。
【００７０】
［実施の形態１４］
図２４は本発明の実施の形態１４のマスクを示す正面図である。この実施の形態１４のマスクＭ１４は、マスク本体１００が、上下２枚に分割された分割布地部１０１、１０２からなる。なお、このマスクＭ１４も、実施の形態１３と同様に、マスク本体１００が内外二重構造であり、図面では外側の分割布地部１０１、１０２のみ示されており、内側にも外側と同様の上下の分割布地部が設けられている。
【００７１】
このマスクＭ１４は、その剛性部が、上側の分割布地部１０１と下側の分割布地部１０２とを相互に縫い合わせ、その左右方向の縫い合わせラインを、上下の分割布地部１０１、１０２を開いて着用した状態で内側に呼吸用空間を形成可能に前方へ湾曲させた縫い合わせ部１０３から構成されている。このマスクＭ１４の開いた状態を正面から見ると、縫い合わせ部１０３が、マスク本体１００の外側に膨らむ頂部の直上又はその近傍から左右両端部の上下略中間位置へ斜めに通るヘの字形に形成されている。つまり、剛性部が、斜め方向に形成されている。
【００７２】
このように構成されたマスクＭ１４のマスク本体１００の製造方法は、上述の実施の形態１３の場合とは分割布地部の形状は異なるものの、同様の上記方法（ｃ）（ｄ）にて形成することができる。
なお、マスク本体の二重構造の外側部材の代わりに、通気性のカバー（図１５参照）を設けるようにしてもよい。
【００７３】
［実施の形態１５］
図２５は本発明の実施の形態１５のマスクを示す正面図である。この実施の形態１５のマスクＭ１５は、マスク本体１１０が、上下３枚に分割された分割布地部１１１、１１２、１１３からなる。なお、このマスクＭ１５も、実施の形態１３と同様に、マスク本体１１０が内外二重構造であり、図面では外側の分割布地部１１１、１１２、１１３のみ示されており、内側にも外側と同様の上下の分割布地部が設けられている。
【００７４】
このマスクＭ１５は、その剛性部が、上側の分割布地部１１１と中間の分割布地部１１２とを相互に縫い合わせ、かつ中間の分割布地部１１２と下側の分割布地部１１３とを相互に縫い合わせ、それら左右方向の縫い合わせラインを、上下の分割布地部１１１、１１３を開いて着用した状態で内側に呼吸用空間を形成可能に前方へ湾曲させた縫い合わせ部１１４、１１５から構成されている。このマスクＭ１５の開いた状態を正面から見ると、縫い合わせ部１１４が、マスク本体１００の外側に膨らむ頂部の少し上から左右両端部の上側へ斜めに通るヘの字形に形成されており、縫い合わせ部１１５は、マスク本体１１０の頂部の下から左右両端部の下側へ斜めに通る逆ヘの字形に形成されている。つまり、２本の剛性部が、斜め方向に形成されている。
【００７５】
このように構成されたマスクＭ１５のマスク本体１１０の製造方法は、上述の実施の形態１３の場合とは分割布地部の形状、枚数は異なるものの、同様の上記方法（ｃ）（ｄ）にて形成することができる。
なお、マスク本体の二重構造の外側部材の代わりに、通気性のカバー（図１５参照）を設けるようにしてもよい。
【００７６】
［実施の形態１６］
図２６は本発明の実施の形態１６のマスクを示す正面図である。この実施の形態１６のマスクＭ１６は、マスク本体１２０が、左布地部１２１と右布地部１２２からなり、左右中間部に上下方向の縫い合わせ部（剛性部）１２３を有するものであって、左布地部１２１は２つの分割布地部分１２１ａ、１２１ｂからなると共に、右布地部１２２は２つの分割布地部分１２２ａ、１２２ｂからなる。なお、このマスクＭ１６も、実施の形態１３と同様に、マスク本体１２０が内外二重構造であり、図面では外側の分割布地部１０１、１０２のみ示されており、内側にも外側と同様の左布地部１２１と右布地部１２２が設けられている。
【００７７】
左布地部１２１は、耳掛け部２５側に設けられた略三角形の上記分割布地部分１２１ｂと、左右中間側に設けられ、前記分割布地部分１２１ｂの頂部にて食い込まれた形状の上記分割布地部分１２１ａとからなり、各分割布地部分１２１ａ、１２１ｂの縫い合わせ部（剛性部）１２４がへの字形に斜め方向に形成されている。これと同様に、右布地部１２２も、耳掛け部２５側に設けられた略三角形の上記分割布地部分１２２ｂと、左右中間側に設けられ、前記分割布地部分１２２ｂの頂部にて食い込まれた形状の上記分割布地部分１２２ａとからなり、各分割布地部分１２２ａ、１２２ｂの縫い合わ部（剛性部）１２５がへの字形に斜め方向に形成されている。なお、縫い合わせ部１２４、１２５の屈曲部は、マスク本体１２０の頂部の辺りとなるように配置されている。
このように構成されたマスクＭ１６は、その左布地部１２１と右布地部１２２を開くことにより、内側に呼吸用空間を確保する凹部が形成される。
【００７８】
このように構成されたマスクＭ１６のマスク本体１２０の製造方法は、先に、分割布地部分１２１ａ、１２１ｂを相互に縫い合わせて左布地部１２１を形成し、かつ分割布地部分１２２ａ、１２２ｂを相互に縫い合わせて右布地部１２２を形成すれば、その後は上述の実施の形態１で説明した方法（ａ）（ｂ）にて形成することができる。
なお、マスク本体の二重構造の外側部材の代わりに、通気性のカバー（図１５参照）を設けるようにしてもよい。
【００７９】
［実施の形態１７］
図２７は本発明の実施の形態１７のマスクを示す正面図であり、図２８は図２７のＣ−Ｃ線断面図である。この実施の形態１７のマスクＭ１７は、実施の形態２（図６参照）の変形例であって、耳掛け部２５ａ、２５ａが耳掛け紐からなり、この耳掛け紐は、その幅の略中央部で折曲げられてマスク本体２０の上縁部及び下縁部を挟み込んだ状態で縫い込みにより取り付けられている。この場合、１本の平たい紐の両端をマスク本体２０の下縁の左右中間位置で対向するように配置し、下縁を挟み込んだ状態に折り曲げて下縁に沿って縫い込み、かつ紐の長手方向中間位置をマスク本体２０の上縁の左右中間位置に配置し、上縁を挟み込んだ状態に折り曲げて上縁に沿って縫い込むことにより、耳掛け部２５ａ、２５ａの形成及び取り付けが行われる。
このように耳掛け部２５ａ、２５ａを構成することにより、使用者の頬に耳掛け部の跡が付き難いという利点がある。
【００８０】
［実施の形態１８］
図２９は本発明の実施の形態１８のマスクを示す断面図である。このマスクＭ１８は、内外二重構造のマスク本体１３０の内側からマスク挟持部が省略されたものであって、マスク本体１３０の外側に通気性のマスクカバー１３１が着脱可能に設けられ、さらにマスクカバー１３１とマスク本体１３０との間の空間にフィルタ１８が設けられたものである。このマスクカバー１３１のマスク本体１３０への着脱可能な取付構造としては、例えば、マスク本体の外面における上下左右の端部及びマスクカバーの内面の上下左右の端部に、ホックの雄部及び雌部あるいは面状ファスナーのループ部及びフック部をそれぞれ複数個設けるようにしてもよい。
このようにすれば、マスクカバー１３１をマスク本体１３０から取り外してフィルタ１８の交換が容易であり、マスク本体１３０とマスクカバー１３１とを個別に洗濯することもできる。
なお、一重構造のマスク本体にマスクカバー１３１を着脱可能に取り付けてもよい。
【００８１】
［他の実施の形態］
１．上記実施の形態１、２等では、左布地部と右布地部とを縫い合わせた縫い合わせ部を剛性部としたマスクを例示し、実施例１２〜１４では複数枚の分割布地部を縫い合わせた縫い合わせ部を剛性部としたマスクを例示したが、マスクを一枚の布地から構成し、マスク本体内に芯材からなる剛性部を挿入して中央部分を前方へ湾曲させ保持するように構成してもよい。
２．上記実施の形態１、２等では、マスク本体が外側部材と内側部材を重ねた状態で、その周囲を縫い合わせた二重構造のマスクを例示したが、一重構造のマ  スクであってもよい。
３．上記実施の形態１、２等では、マスク本体の正面視形状が一般的な略矩形状の場合を例示したが、マスク本体の形状はこれに限定されず、例えば長円形、  楕円形、円形、多角形（例えば略六角形）、さらに菱形、三角形等であって  もよい。
４．上記実施の形態１、２では、耳掛け部がゴム紐からなる場合を例示したが、素材としては伸縮性を有さない紐でもよい。また、実施の形態１において、紐の耳掛け部の両端をネット部に縫い付けるようにすれば、ネット部の伸縮によってマスクを使用者の顔のサイズに対応させることができる。
５．上記実施の形態９、１０、１１における耳掛け紐は、上端と下端を逆にしてマスク本体に取り付けるようにしてもよい。
６．上記実施の形態１、２、３、４、５におけるポケット布地部は、実施の形態６、７と同様にしてもよい。
【００８２】
【発明の効果】
本発明によれば、マスク本体の左右中央位置に形成された上下方向の剛性部が前方に突出し、それによって剛性部の内側に上下方向の凹みを形成するので、その凹みに使用者の鼻が収まってマスク本体によって鼻が押さえ付けられず、かつ鼻の下に呼吸用空間が形成されて呼吸を楽に行うことができる。
さらに、マスク本体を、左半面を構成する左布地部と右半面を構成する右布地部とから構成し、左布地部と右布地部とを相互に縫い合わせた縫い合わせラインを剛性部とすることにより、左布地部と右布地部とを単に縫い合わせただけで立体的に外側へ膨らむマスク本体が形成されるため、部材点数が増加することがなく、かつ縫製にもそれほど手間がかからず、低コストにて容易にマスクを製造することができる。また、左布地部と右布地部の隣接する辺縁を重ね合わせて縫い合わされた縫いあわせ部が、縫い合わせ部の膨らみ形状の骨となってその形状を補強し、それによって左布地部及び右布地部が薄い布地であっても上記膨らみ形状が形状保持される。さらに、縫い合わせ部の膨らみ形状の形成にはカップ材のようなものが使用されず、マスク全体が布地からか構成されるので、そのまま手軽に丸洗いすることができると共に、収納時は縫い合わせ部で半分の大きさにきれいに折り畳むことができる。
【図面の簡単な説明】
【図１】実施の形態１に係るマスクの正面図である。
【図２】同実施の形態１のマスクの平面図である。
【図３】同実施の形態１のマスクの背面図である。
【図４】図１のＡ−Ａ断面図である。
【図５】同実施の形態１のマスクの使用状態を示す説明図である。
【図６】実施の形態２に係るマスクの正面図である。
【図７】実施の形態３に係るマスクの背面図である。
【図８】図７のＢ−Ｂ線断面図である。
【図９】同実施の形態３のマスクの平面図である。
【図１０】同実施の形態３のマスクの使用状態を示す説明図である。
【図１１】実施の形態４に係るマスクの背面図である。
【図１２】実施の形態５に係るマスクの背面図である。
【図１３】実施の形態６に係るマスクの背面図である。
【図１４】実施の形態７に係るマスクの背面図である。
【図１５】実施の形態８に係るマスクの一部断面の正面図である。
【図１６】図１３のマスクの一部断面の平面図である。
【図１７】実施の形態９に係るマスクの正面図である。
【図１８】図１６における２点鎖線の円内の部分の拡大断面図である。
【図１９】実施の形態１０に係るマスクの正面図である。
【図２０】実施の形態１１に係るマスクの正面図である。
【図２１】同実施の形態１１のマスクにおける右の耳掛け紐を示す拡大断面図である。
【図２２】本発明の実施の形態１２のマスクを示す正面図である。
【図２３】本発明の実施の形態１３のマスクを示す正面図である。
【図２４】本発明の実施の形態１４のマスクを示す正面図である。
【図２５】本発明の実施の形態１５のマスクを示す正面図である。
【図２６】本発明の実施の形態１６のマスクを示す正面図である。
【図２７】本発明の実施の形態１７のマスクを示す正面図である。
【図２８】図２６のＣ−Ｃ線断面図である。
【図２９】本発明の実施の形態１８のマスクを示す断面図である。
【符号の説明】
１、２０、５０、６０、７０、８０、９０、１００、１１０  マスク本体
２、２５、２５ａ  耳掛け部（ゴム紐）
４  フィルタ挟持部
１１、２１、５１、１２１  左布地部
１１ａ、１２ａ  外面布地部
１１ｂ、１２ｂ  内面布地部
１２、２２、５２、１２２  右布地部
１３、５５、９３、１０３、１１４、１１５、１２３  縫い合わせ部
１４  頂部
１６  呼吸用空間
１８  フィルタ
６１、６６、７１  耳掛け紐（耳掛け部）
９１、９２、１０１、１０２、１１１、１１２、１１３  分割布地部
Ｍ〜Ｍ１８  マスク
【図１】
2004351190.tif 000003
【図２】
2004351190.tif 000004
【図３】
2004351190.tif 000005
【図４】
2004351190.tif 000006
【図５】
2004351190.tif 000007
【図６】
2004351190.tif 000008
【図７】
2004351190.tif 000009
【図８】
2004351190.tif 000010
【図９】
2004351190.tif 000011
【図１０】
2004351190.tif 000012
【図１１】
2004351190.tif 000013
【図１２】
2004351190.tif 000014
【図１３】
2004351190.tif 000015
【図１４】
2004351190.tif 000016
【図１５】
2004351190.tif 000017
【図１６】
2004351190.tif 000018
【図１７】
2004351190.tif 000019
【図１８】
2004351190.tif 000020
【図１９】
2004351190.tif 000021
【図２０】
2004351190.tif 000022
【図２１】
2004351190.tif 000023
【図２２】
2004351190.tif 000024
【図２３】
2004351190.tif 000025
【図２４】
2004351190.tif 000026
【図２５】
2004351190.tif 000027
【図２６】
2004351190.tif 000028
【図２７】
2004351190.tif 000029
【図２８】
2004351190.tif 000030
【図２９】
2004351190.tif 000031